(57)【要約】【課題】スピーカボックス内に音響通路を有するスピーカ装置において、十分なレベルの低音域の再生に必要とされる音響通路の管路長を確保しつつ、スピーカボックスを薄型化できるようにする。【解決手段】スピーカ装置は、メインキャビネット１１，メインキャビネットカバー１２，前面キャビネットカバー１３からなり、前面キャビネットカバー１３に複数の開口部を有するスピーカボックス１０と、該開口部に合わせてスピーカボックス１０内に配設されたツィータスピーカ１５，ウーハースピーカ１６と、スピーカ１６の背面から出る音を位相反転させて前面に放射する音響通路１４とを有する。音響通路１４は、一方の開口がスピーカ１６の背面に向けて配設され且つ他方の開口が音響通路開口部１３ｃに接続され、前記開口間が所定回数折り返されて音響通路１４を形成する。このため、十分なレベルの低音域の再生を可能とし、スピーカボックス１０を薄型化できる。【選択図】        図１
2005033513.tif 000002
【特許請求の範囲】
【請求項１】
前面に開口部を有するスピーカボックスと、前記開口部に合わせて前記スピーカボックス内に配設されたスピーカユニットと、該スピーカユニットの背面から出る音を位相反転させて前面に放射する音響通路とを有するスピーカ装置において、前記音響通路は、一方の開口が前記スピーカユニットの背面に向けて配設され且つ他方の開口が前記スピーカボックスの前面に配設されると共に、前記開口間が所定回数折り返されて前記音響通路を形成していることを特徴とするスピーカ装置。
【請求項２】
請求項１に記載のスピーカ装置において、前記音響通路の開口間は、所定数の折り返し部と、該折り返し部から延長する直線部とを有し、該直線部のうち少なくとも最も長い直線部が前記スピーカボックスの前面と略平行に配設されていることを特徴とするスピーカ装置。
【請求項３】
請求項１又は２に記載のスピーカ装置において、前記スピーカボックスは、左右いずれか一方の側壁を分離可能とし、前記音響通路は、前記スピーカボックスの左側壁（又は右側壁）の内側に設けられ且つ該側壁に対してほぼ垂直に立ち上がる複数の隔壁と、該隔壁間を閉塞する前記スピーカボックスの右側壁（又は左側壁）とから形成されていることを特徴とするスピーカ装置。
【請求項４】
請求項３に記載のスピーカ装置において、前記隔壁は、前記スピーカボックスの左側壁又は右側壁の内側に一体成形されていることを特徴とするスピーカ装置。
【請求項５】
請求項３又は４に記載のスピーカ装置において、前記スピーカボックスの右側壁（又は左側壁）は、前記スピーカボックスの側面から見た前記隔壁の形状に合致する溝部を前記左側壁（又は右側壁）に対向する面に有し、前記溝部に前記隔壁の先端部を嵌合させて前記音響通路を形成していることを特徴とするスピーカ装置。
【請求項６】
請求項５に記載のスピーカ装置において、前記溝部と、前記隔壁の先端部とが接着されていることを特徴とするスピーカ装置。
【請求項７】
請求項１乃至６のいずれか１に記載のスピーカ装置において、前記音響通路の有効長は、所望の周波数における半波長に相当する長さとすることを特徴とするスピーカ装置。
【請求項８】
左右いずれか一方の側壁を分離可能に設けたメインキャビネット及び複数のスピーカ開口部を設けた前面キャビネットからなるスピーカボックスと、前記スピーカ開口部に合わせて前記スピーカボックス内に配設されたスピーカユニットと、該スピーカユニットの背面から出る音を位相反転させて前面に放射する音響通路とを有するスピーカ装置において、前記前面キャビネットは、低音域を再生する低音再生用スピーカユニットが配設された第１のスピーカ開口部と、中高音域を再生する中高音再生用スピーカユニットが配設された第２のスピーカ開口部と、該第２のスピーカ開口部の近傍に前記第１のスピーカ開口部からの音を放射させるための音響通路開口部とが設けられ、前記音響通路は、一方の開口が前記低音再生用スピーカユニットの背面に向けて配設され且つ他方の開口が前記音響通路開口部に連通されると共に、前記開口間が所定回数折り返されて前記音響通路を形成していることを特徴とするスピーカ装置。
【請求項９】
請求項８に記載のスピーカ装置において、前記音響通路開口部の背面側に延長する筒体を前記前面キャビネットに有し、該筒体を挿入するための筒体挿入部を前記メインキャビネットの前面に設け、前記筒体挿入部に前記筒体を挿入することにより前記前面キャビネットの背面側を二重構造としたことを特徴とするスピーカ装置。
【請求項１０】
請求項８又は９に記載のスピーカ装置において、前記前面キャビネットの側面から見て、前記第１のスピーカ開口部と、前記第２のスピーカ開口部とが異なる面に形成されていることを特徴とするスピーカ装置。
【請求項１１】
請求項１乃至１０のいずれか１に記載のスピーカ装置を一体で設けた映像表示装置。
【請求項１２】
請求項１１に記載の映像表示装置において、映像を表示する表示部を備えた表示部筐体を有し、該表示部筐体は、前記表示部の左右２ヶ所に前記スピーカ装置を一体で設けていることを特徴とする映像表示装置。
【請求項１３】
請求項１１又は１２に記載の映像表示装置において、前記スピーカ装置のスピーカボックスを構成する材料は、前記表示部筐体を構成する材料と同じであることを特徴とする映像表示装置。
【発明の詳細な説明】
【０００１】
【発明の属する技術分野】
本発明は、スピーカ装置及び映像表示装置、より詳細には、スピーカキャビネット本体に音響通路構造を有する位相反転型スピーカ装置及び該スピーカ装置を一体で設けた映像表示装置に関する。
【０００２】
【従来の技術】
音を直接放射するコーン型スピーカにおいて、振動板が振動した音波を放射するとき、振動板の前面と背面とで位相が逆の音波が放射され、両者は振動板の周辺で打ち消しあって音響出力が弱められる。このような打ち消しあいの度合は周波数によって異なり、低域周波数において顕著であるため、スピーカユニットをキャビネット（外箱）のない状態で鳴らすと低音がほとんど出ないことが知られている。そこで、上記打ち消しあいを防止してバランスのとれた豊かな低音を得るために種々の形態のキャビネットにスピーカユニットを取り付けたスピーカシステムが開発されている。
【０００３】
スピーカシステムにおける低音の再生は、上記のようにキャビネットによって左右されるが、キャビネットには様々な形態があり、それぞれ必要とされる音響装置の大きさや形状、システムに応じて特徴をもった音を再生する。このような音の再生を考慮したキャビネットの１つに、スピーカの背面から出た音波を積極的に利用するバスレフ型スピーカが用いられている。このバスレフ型スピーカは位相反転型とも呼ばれ、低音再生能力を高めるため、スピーカを設けたバッフル板に開口及び筒体を設け、スピーカの振動板の背面から出た音の位相を反転させ、筒体を介して開口部から外部に放射させることにより、スピーカの振動面から全面に放射する低音特性を増強するように設計されたものである。このような位相反転型キャビネットを用いれば、スピーカユニットの実力以上の低音まで平坦に再生することができる。
【０００４】
ここで、キャビネットとしては、例えば、密閉型，バスレフ型，ドロン・コーン型，反射型，バックローデット・ホーン型，音響迷路型など各種提案されている。これらの中で音響迷路型は、スピーカユニットの背面から放射された音波が曲がりくねった迷路状の音響通路を経由して外部に放出されるようにしたものである。これにより中高音が減衰されると共に、低音の位相がずれ、前面から放射された音波との打ち消しあいを防ぐことができ、豊かな低音再生が可能となる。また、この音響迷路型の場合、比較的小さな設置面積ですむというメリットもある。
【０００５】
従来、音響機器本体の筐体内部に隔壁を複数設けて音波導管を構成し、低音域を減衰させることなく、高音域を減衰できるようにしたスピーカシステムが開示されている（例えば、特許文献１参照）。
【０００６】
上記スピーカシステムでは、音響機器本体の筐体の左右に２つの開口部（第１の端部開口と第２の端部開口）をそれぞれ設け、各開口部間に隔壁を複数設けて音波導管を構成し、振動面を有する全帯域（フルレンジ）型のスピーカユニット１つが第１の端部開口の近傍に取り付けられている。ここで構成される音波導管の長さは、第１の端部開口と第２の端部開口との端部間に移送される圧力波エネルギーの最低周波数における１／４波長にほぼ相当する有効長さを有し、音波導管の振動面近傍に設けた制振材料により低音域周波数エネルギーをわずかに減衰する一方、低音域周波数エネルギーの範囲を超えるより高い周波数においてはピークを十分な量に減衰するように当該制振材料が振動面に近い位置に位置決めされている。
【０００７】
また、バスフレックス型の筒体をスピーカキャビネットの表側キャビネットの一部と裏側キャビネットの一部とを用いて形成したスピーカ装置が開示されている（例えば、特許文献２参照）。
【０００８】
上記スピーカ装置は、表側キャビネット及び裏側キャビネットに形成した第１及び第２の筒体を組み合わせてバスフレックス型の筒体を形成することにより、当該筒体を折り返し構造として筒体長の経路を長くし、低音を増強させるようにしたものである。
【０００９】
【特許文献１】
特開平７−１３１８７９号公報
【特許文献２】
特開平５−１８３９７６号公報
【００１０】
【発明が解決しようとする課題】
しかしながら、上記特許文献１に記載の発明は、音響機器本体の筐体内部に隔壁を複数設けて音波導管を構成するようにしたものであるが、音波導管の長さを数値限定して１つのフルレンジ型スピーカユニットを用いているために、制振材料を設ける必要がある上に、フルレンジ型のために十分な低音再生及び中・高音再生を両立させることが困難となる。また、実施例において記載されているように、複数の音波導隔壁によって形成される複数のセクションのうち、スピーカドライバの振動板を横断する方向（すなわち、垂直方向）に配設されたものと、スピーカドライバの振動板に平行な方向に配設されたものとがあり、さらに、両者の長さは略同じ程度であるので、十分なレベルの低音再生を可能としつつ、スピーカボックスの薄型化を図るような構成とはなっていない。
【００１１】
また、上記特許文献２に記載の発明は、第１及び第２の円筒の形成方向は、スピーカボックスの奥行き方向で且つ直線状の筒体構造であるために、筒体長を長くできない構成であると共に、筒体が直線状に折り返される構造で且つ放音時の風圧が裏側キャビネットの壁面に直接当たる構造であるために、風切音の低減が困難となる問題があった。
【００１２】
本発明は、上述のごとき実情に鑑みてなされたものであり、スピーカボックス内に音響通路を有するバスレフ型スピーカ装置において、低音再生用スピーカ及び中・高音再生用スピーカの２つを内蔵して広い音域を再生可能とすると共に、十分なレベルの低音域の再生に必要とされる音響通路の管路長を確保しつつ、スピーカボックスを薄型化できるようにすること、
また、奥行きを小さくした薄型のスピーカボックスを用いた場合においてビビリ音の発生を防止できるようにすること、を目的としてなされたものである。
【００１３】
【課題を解決するための手段】
上記課題を解決するために、第１の技術手段は、前面に開口部を有するスピーカボックスと、前記開口部に合わせて前記スピーカボックス内に配設されたスピーカユニットと、該スピーカユニットの背面から出る音を位相反転させて前面に放射する音響通路とを有するスピーカ装置において、前記音響通路は、一方の開口が前記スピーカユニットの背面に向けて配設され且つ他方の開口が前記スピーカボックスの前面に配設されると共に、前記開口間が所定回数折り返されて前記音響通路を形成していることを特徴としたものである。
【００１４】
第２の技術手段は、第１の技術手段において、前記音響通路の開口間は、所定数の折り返し部と、該折り返し部から延長する直線部とを有し、該直線部のうち少なくとも最も長い直線部が前記スピーカボックスの前面と略平行に配設されていることを特徴としたものである。
【００１５】
第３の技術手段は、第１又は第２の技術手段において、前記スピーカボックスは、左右いずれか一方の側壁を分離可能とし、前記音響通路は、前記スピーカボックスの左側壁（又は右側壁）の内側に設けられ且つ該側壁に対してほぼ垂直に立ち上がる複数の隔壁と、該隔壁間を閉塞する前記スピーカボックスの右側壁（又は左側壁）とから形成されていることを特徴としたものである。
【００１６】
第４の技術手段は、第３の技術手段において、前記隔壁は、前記スピーカボックスの左側壁又は右側壁の内側に一体成形されていることを特徴としたものである。
【００１７】
第５の技術手段は、第３又は第４の技術手段において、前記スピーカボックスの右側壁（又は左側壁）は、前記スピーカボックスの側面から見た前記隔壁の形状に合致する溝部を前記左側壁（又は右側壁）に対向する面に有し、前記溝部に前記隔壁の先端部を嵌合させて前記音響通路を形成していることを特徴としたものである。
【００１８】
第６の技術手段は、第５の技術手段において、前記溝部と、前記隔壁の先端部とが接着されていることを特徴としたものである。
【００１９】
第７の技術手段は、第１乃至第６のいずれか１の技術手段において、前記音響通路の有効長は、所望の周波数における半波長に相当する長さとすることを特徴としたものである。
【００２０】
第８の技術手段は、左右いずれか一方の側壁を分離可能に設けたメインキャビネット及び複数のスピーカ開口部を前面に設けた前面キャビネットからなるスピーカボックスと、前記スピーカ開口部に合わせて前記スピーカボックス内に配設されたスピーカユニットと、該スピーカユニットの背面から出る音を位相反転させて前面に放射する音響通路とを有するスピーカ装置において、前記前面キャビネットは、低音域を再生する低音再生用スピーカユニットが配設された第１のスピーカ開口部と、中高音域を再生する中高音再生用スピーカユニットが配設された第２のスピーカ開口部と、該第２のスピーカ開口部の近傍に前記第１のスピーカ開口部からの音を放射させるための音響通路開口部とが設けられ、前記音響通路は、一方の開口が前記低音再生用スピーカユニットの背面に向けて配設され且つ他方の開口が前記音響通路開口部に連通されると共に、前記開口間が所定回数折り返されて前記音響通路を形成していることを特徴としたものである。
【００２１】
第９の技術手段は、第８の技術手段において、前記音響通路開口部の背面側に延長する筒体を前記前面キャビネットに有し、該筒体を挿入するための筒体挿入部を前記メインキャビネットの前面に設け、前記筒体挿入部に前記筒体を挿入することにより前記前面キャビネットの背面側を二重構造としたことを特徴としたものである。
【００２２】
第１０の技術手段は、第８又は第９の技術手段において、前記前面キャビネットの側面から見て、前記第１のスピーカ開口部と、前記第２のスピーカ開口部とが異なる面に形成されていることを特徴としたものである。
【００２３】
第１１の技術手段は、第１乃至第１０のいずれか１の技術手段に記載のスピーカ装置を一体で設けた映像表示装置とすることを特徴としたものである。
【００２４】
第１２の技術手段は、第１１の技術手段において、映像を表示する表示部を備えた表示部筐体を有し、該表示部筐体は、前記表示部の左右２ヶ所に前記スピーカ装置を一体で設けていることを特徴としたものである。
【００２５】
第１３の技術手段は、第１１又は第１２の技術手段において、前記スピーカ装置のスピーカボックスを構成する材料は、前記表示部筐体を構成する材料と同じであることを特徴としたものである。
【００２６】
【発明の実施の形態】
図１は、本発明の一実施形態に係わるスピーカボックスの外観の一例を示す斜視図で、図中、１０はスピーカボックスで、該スピーカボックス１０は、メインキャビネット１１，メインキャビネットカバー１２，前面キャビネットカバー１３の３つの部材から構成され、内部に迷路状の音響通路１４が形成されている。また、１５は中・高音再生用（ツィータ）スピーカユニット（以下、ツィータスピーカという）、１６は低音再生用（ウーハー）スピーカユニット（以下、ウーハースピーカという）で、これらスピーカユニットがスピーカボックス１０内（前面キャビネットカバー１３の内側）に配設されて本発明のスピーカ装置が構成される。尚、本実施形態において前面キャビネットカバー１３を別部材として以下に説明するが、前面キャビネットカバー１３をスピーカボックス１０に一体で設けてもよく、また、スピーカボックス１０内に配設するスピーカユニットを２つとして示しているが、スピーカユニットを１つあるいは複数個としてもよい。
【００２７】
前面キャビネットカバー１３は、ツィータスピーカ１５を取り付けるためのスピーカ開口部１３ａ，ウーハースピーカ１６を取り付けるためのスピーカ開口部１３ｂ，スピーカ開口部１３ａの近傍（本例では上部側）にはスピーカボックス１０内に形成される音響通路１４からの音を放射するための音響通路開口部１３ｃを有している。スピーカボックス１０の内部に形成された音響通路１４は、スピーカ開口部１３ｂに取り付けられたウーハースピーカ１６からの音を音響通路開口部１３ｃから放音するための断面矩形状のパイプ構造をなしている。尚、音響通路１４の断面形状は上記矩形状に限らず、例えば円形、楕円形といった形状としてもよく、パイプ構造をなしていればどのような断面形状であっても構わない。
【００２８】
本発明のスピーカ装置は、ウーハースピーカ及びツィータスピーカの２つを内蔵して広い音域を再生可能とすると共に、十分なレベルの低音域の再生に必要とされる音響通路の管路長を確保しつつ、スピーカボックスの薄型化を図ったものであり、そのためのスピーカボックス１０の内部構造について以下に詳細に説明する。
【００２９】
図２乃至図４は、図１に示したスピーカボックス１０の内部構造の一例を説明するための分解図である。図２は、スピーカボックス１０を構成するキャビネット部材の一例を示す分解図で、メインキャビネット１１の側面内側には音響通路１４を形成するための隔壁１１ａ、メインキャビネットカバー１２の裏面側、すなわちメインキャビネット１１に接合する面側には隔壁１１ａに対応した溝部１２ａを有する。また、前面キャビネットカバー１３は、音響通路開口部１３ｃの背面からメインキャビネット１１側に延長する筒体１３ｄを有している。隔壁１１ａはメインキャビネット１１の側面内側に固定又は一体成形されており、メインキャビネット１１及びメインキャビネットカバー１２の２つの部材を密着固定することにより、隔壁１１ａに囲まれた空間が閉じて音響通路１４が形成される。この際、隔壁１１ａは、スピーカボックス１０の筐体強度を向上させると共に、大音量等によるビビリ音の発生を防止するために適正な位置に配設されている。
【００３０】
また、他の実施形態として、メインキャビネットカバー１２の裏面側、すなわちメインキャビネット１１に接合する面側に音響通路１４を形成するための隔壁１１ａを設けて、メインキャビネット１１の側面内側には隔壁１１ａに対応した溝部１２ａを有する構成としてもよい。すなわち、スピーカボックス１０は、左右いずれか一方の側壁を分離可能とし、そのどちらか一方の側壁に隔壁１１ａを設けると共に、他方の側壁に溝部１２ａを設けて、メインキャビネット１１及びメインキャビネットカバー１２の２つの部材を密着固定することにより、隔壁１１ａの先端部及び溝部１２ａが嵌合され、隔壁１１ａ間が閉塞されて音響通路１４が形成される。
【００３１】
図３は、スピーカボックス１０の密閉度を向上させるためのキャビネット部材構造の一例を示す分解図である。メインキャビネット１１の側面内側に設けた隔壁１１ａは、リブ構造（凸部）をなしており、メインキャビネットカバー１２の裏面側には、隔壁１１ａの先端部に対向する位置に隔壁１１ａのパターンに合致した溝部（凹部）１２ａが設けられている。この溝部１２ａに隔壁１１ａの先端部を含む部分（凸部）を嵌合させて音響通路１４を構成する。この際、密閉度をさらに向上させると共に、ビビリ音の発生を防止するために接着剤等を用いて溝部１２ａと、隔壁１１ａの先端部とを接着するようにしてもよい。
【００３２】
上記のように、メインキャビネット１１及びメインキャビネットカバー１２の２つの部材を用いて迷路状の音響通路１４を形成する際に、メインキャビネット１１側に設けた隔壁１１ａ（凸部）を、メインキャビネットカバー１２に設けた溝部１２ａ（凹部）に嵌合させて音響通路１４を形成することにより、スピーカボックス１０の密閉度を向上させると共に、大音量等によるビビリ音の発生を防止することができる。この際、隔壁１１ａの先端部及び溝部１２ａを接着剤等を用いて密着固定させることで、スピーカボックス１０をより確実に密閉させることができると共に、大音量等によるビビリ音の発生を防止することが可能となる。
【００３３】
図４は、スピーカボックス１０の密閉度を向上させるためのキャビネット部材構造の他の例を示す分解図である。本例は、前面キャビネットカバー１３及びメインキャビネット１１の構造について示したもので、音響通路開口部１３ｃ近傍の密閉度を向上させることを目的としている。すなわち、メインキャビネット１１の前面には、音響通路開口部１３ｃに対向する位置に筒体１３ｄを挿入するための筒体挿入部１１ｂを有している。メインキャビネット１１の前面に前面キャビネットカバー１３を取り付ける際に、筒体挿入部１１ｂに対して筒体１３ｄが挿入されるため、音響通路開口部１３ｃのメインキャビネット１１側は、二重構造となる。これにより、音響通路開口部１３ｃ近傍の密閉度が向上することになり、ビビリ音の発生を防止することができる。
【００３４】
図５は、図１に示したスピーカボックス１０を構成するメインキャビネット１１の構造の一例を説明するための図である。図５（Ａ）はメインキャビネット１１の側面図、図５（Ｂ）はメインキャビネット１１の底面図、図５（Ｃ）は図５（Ｂ）に示すメインキャビネット１１をＡから見た矢視図、図５（Ｄ）はメインキャビネット１１の背面図、図５（Ｅ）はメインキャビネット１１の他方の側面から見た側面図で、メインキャビネット１１は、音響通路１４を構成するための隔壁１１ａ，前面キャビネットカバー１３に設けられた筒体１３ｄを挿入するための筒体挿入部１１ｂ，メインキャビネットカバー１２を取り付けるためのボス１１ｃ１〜１１ｃ５，前面キャビネットカバー１３のスピーカ開口部１３ｂに取り付けたウーハースピーカ１６の背面からの音を音響通路１４に取り込むための開口部１１ｄ，前面キャビネットカバー１３を取り付けるための取付穴１１ｅ１〜１１ｅ６を有している。
【００３５】
図６は、メインキャビネット１１の断面図である。図６（Ａ）は図５（Ａ）に示したメインキャビネット１１の断面ＢＢ′を示した図、図６（Ｂ）は図５（Ａ）に示したメインキャビネット１１の断面ＣＣ′を示した図、図６（Ｃ）は図５（Ａ）に示したメインキャビネット１１の断面ＤＤ′を示した図である。
【００３６】
図５及び図６において、メインキャビネット１１の側面内側には、隔壁１１ａが該側面に対してほぼ垂直に複数設けられている。この隔壁１１ａは、所定回数折り返されて形成されている。ここで、折り返しの回数（すなわち、音響通路１４の有効長）は、所望の周波数帯域における波長との関係で任意に設定することができる。本実施形態において、隔壁１１ａは、２つの折り返し部と、その折り返し部から延長した直線部とを有している。ここで、隔壁１１ａを形成する直線部のうち少なくとも最も長い直線部は、スピーカボックス１０の前面、すなわちメインキャビネット１１の前面と略平行に配設されているため、十分なレベルの低音域の再生に必要とされる管路長を確保しつつ、スピーカボックス１０の奥行きを小さくすることが可能となる。また、音響通路１４を風（音）がスムーズに流れる構造としたために、障害壁等によるビビリ音（風切音）の発生を防止することができる。
【００３７】
尚、音響通路１４の構造、すなわち、スピーカボックス１０の側面側から見た隔壁１１ａの構造は、上記実施形態に限定されるものでなく、折り返し部の代わりに折り返し構造としない屈曲部及び直線部を有する構成としてもよい。
【００３８】
本発明のスピーカ装置は、位相反転型スピーカであり、スピーカユニットの後から出る音を、時間差をつけて１８０度位相反転させて前から出る音と合成し、低音域を増強するようにしたものである。例えば、本スピーカ装置に配設する音響通路１４の有効長を所定の周波数における半波長に相当する長さとする。すなわち、１８０度位相を反転させた状態とする。強調させたい目標周波数を、低音域の１８０〜１９０Ｈｚ近辺（本例では１９０Ｈｚとする）とした場合、下記の式（１）及び（２）により、音響通路１４の有効長が求まる。
2005033513.tif 000003
（但し、音速ｃは、大気中１５℃の環境下とする）
音響通路１４の有効長Ｉが半波長に相当することから、
有効長Ｉ＝λ／２＝０．８８５（ｍ）＝８８５（ｍｍ）          …式（２）
【００３９】
図７は、本発明のスピーカボックス１０に音響通路１４を取り付けた場合と取り付けない場合において周波数特性を比較した特性曲線の一例を示す図で、図中、１は音響通路１４を取り付けた場合の特性曲線、２は音響通路１４を取り付けない場合の特性曲線である。特性曲線１において、特性曲線２と比較して低音域の１８０〜１９０Ｈｚ近辺の帯域が増強されていることがわかる。本例では、上記した式（１）及び（２）により音響通路１４の有効長をおよそ８８５（ｍｍ）程度としている。このように、音響通路１４の有効長をおよそ半波長程度とすることで目標とする周波数の帯域（本例では１８０〜１９０Ｈｚ）を効果的に強調できることがわかる。
【００４０】
図８は、図１に示したスピーカボックス１０を構成するメインキャビネットカバー１２の構造の一例を説明するための図である。図８（Ａ）はスピーカボックス１０の側面から見たメインキャビネットカバー１２の裏面図（すなわち、メインキャビネット１１に対向する面）、図８（Ｂ）はスピーカボックス１０の側面から見たメインキャビネットカバー１２の正面図（すなわち、メインキャビネット１１の反対側の面）で、メインキャビネットカバー１２は、メインキャビネット１１の隔壁１１ａに嵌合させる溝部１２ａ，メインキャビネット１１に取り付けるための取付穴１２ｂ１〜１２ｂ５を有している。
【００４１】
図９は、メインキャビネットカバー１２の断面図である。図９（Ａ）は図８（Ｂ）に示したメインキャビネットカバー１２の断面ＥＥ′を示した図で、図９（Ｂ）は図９（Ａ）に示すメインキャビネットカバー１２のＦ部を部分拡大した図である。
【００４２】
図８及び図９において、メインキャビネットカバー１２の裏面には、隔壁１１ａの先端部に対向する位置に該先端部のパターンに合致する溝部１２ａを有する。この溝部１２ａ（凹部）に隔壁１１ａの先端部を含む部分（凸部）を嵌合させて音響通路１４を構成する。また、メインキャビネットカバー１２をメインキャビネット１１に取り付ける際、メインキャビネットカバー１２の取付穴１２ｂ１〜１２ｂ５を、メインキャビネット１１のボス１１ｃ１〜１１ｃ５に合わせてセットして図示しないネジ又はビス等の固定部材により両方のキャビネット部材は密着固定される。
【００４３】
尚、他の実施形態として、メインキャビネットカバー１２の裏面側、すなわちメインキャビネット１１に接合する面側に音響通路１４を形成するための隔壁１１ａを設けて、メインキャビネット１１の側面内側には隔壁１１ａに対応した溝部１２ａを有する構成としてもよい。
【００４４】
図１０は、図１に示したスピーカボックス１０を構成する前面キャビネットカバー１３の構造の一例を説明するための図である。図１０（Ａ）は前面キャビネットカバー１３の正面図（すなわち、メインキャビネット１１の反対側の面）、図１０（Ｂ）は前面キャビネットカバー１３の裏面図（すなわち、メインキャビネット１１側の面）、図１０（Ｃ）は図１０（Ｂ）に示す前面キャビネットカバー１３のＧＧ′断面図で、前面キャビネットカバー１３は、ツィータスピーカ１５を取り付けるためのスピーカ開口部１３ａ，ウーハースピーカ１６を取り付けるためのスピーカ開口部１３ｂ，音響通路１４の放音口となる音響通路開口部１３ｃ，音響通路開口部１３ｃから延長した筒体１３ｄ，スピーカボックス１０を映像表示装置本体に取り付けるための取付部１３ｅ１及び１３ｅ２，メインキャビネット１１の前面に取り付けるための取付穴１３ｆ１〜１３ｆ６，ツィータスピーカ１５を取り付けるためのボス１３ｇ１及び１３ｇ２，ウーハースピーカ１６を取り付けるためのボス１３ｈ１〜１３ｈ４を有している。
【００４５】
図１０において、前面キャビネットカバー１３は、スピーカ開口部１３ａ及び１３ｂを有している。従って、ツィータスピーカ１５及びウーハースピーカ１６を内蔵することができるため、これらのスピーカにより広い音声帯域を再生することができる。この際、ツィータスピーカ１５は、ボス１３ｇ１及び１３ｇ２に対して図示しないネジ等の固定部材により取付固定され、ウーハースピーカ１６は、ボス１３ｈ１〜１３ｈ４に対してネジ等の固定部材により取付固定される。また、前面キャビネットカバー１３をメインキャビネット１１に取り付ける際、前面キャビネットカバー１３の取付穴１３ｆ１〜１３ｆ６を、メインキャビネット１１の取付穴１１ｅ１〜１１ｅ６に合わせてセットして図示しないネジ又はビス等の固定部材により両方のキャビネット部材は密着固定される。
【００４６】
また、図１０（Ｃ）に示すように、スピーカ開口部１３ａ及び１３ｂの開口面には段差がつけられている。このように、各スピーカ開口面に対して段差を設けることでウーハースピーカ１６のスピーカ開口部１３ｂの振動が、ツィータスピーカ１５のスピーカ開口部１３ａに伝わりにくくすることができる。
【００４７】
また、テレビジョン受像機等の映像表示装置本体にスピーカボックス１０を取り付けるための取付部１３ｅ１及び１３ｅ２は、先端部を内側に凹状に切り欠いた形状からなる切り欠き部を有し、この切り欠き部に、例えばゴム部材からなる防振部材（後述）を挿入し、取付部１３ｅ１及び１３ｅ２においてそれぞれ挟持される。これらの防振部材を取付部１３ｅ１及び１３ｅ２に固定して設けることでスピーカボックス１０の振動が取付部１３ｅ１及び１３ｅ２を通じてテレビジョン受像機の筐体へ伝導するのを抑制することができる。防振部材の材料としては、例えばゴム、中でもシリコンゴム等を好適に用いることができる。また、防振部材はこれに限定されるものではなく、例えば、ばね、板ばねや、ウレタン等の各種弾性材料を用いてもよい。
【００４８】
図１１は、本発明のスピーカ装置を一体で設けたテレビジョン受像機の外観の一例を示す図で、図中、２０はテレビジョン受像機で、該テレビジョン受像機２０は、映像を表示する表示部２４、その左右両側にスピーカボックス１０，１０′を有している。テレビジョン受像機２０は、表示部２４の両側に、音響通路開口部１３ｃ（音響通路１４）に対応したポート部２１，スピーカ開口部１３ａ（ツィータスピーカ１５）に対応したツィータ部２２，スピーカ開口部１３ｂ（ウーハースピーカ１６）に対応したウーハー部２３，さらに、音響通路開口部１３ｃ′に対応したポート部２１′，スピーカ開口部１３ａ′に対応したツィータ部２２′，スピーカ開口部１３ｂ′に対応したウーハー部２３′を有している。このように、テレビジョン受像機２０は、表示部２４の左右２ヶ所にスピーカボックス１０及び１０′（左右対称とする）を配置した構成となる。
【００４９】
また、スピーカボックス１０（１０′）を構成する材料は、テレビジョン受像機２０の筐体を構成する材料と同じとしてもよい。これは、例えば樹脂系材料を好適に用いることができる。
【００５０】
本実施形態は、スピーカボックス１０を一体で設けたテレビジョン受像機としてＣＲＴを代表例として示したものであるが、本発明のスピーカ装置は、ＣＲＴに限定されるものではなく、例えば、液晶，ＰＤＰ，ＥＬ等の薄型表示部を備えたテレビジョン受像機に対しても同様に搭載することができる。
【００５１】
図１２は、本発明のスピーカボックス１０を一体で設けたテレビジョン受像機２０の内部構造を説明するための図で、図１１に示したテレビジョン受像機２０を上面から見た部分拡大図である。
また、図１３は、図１２に示したテレビジョン受像機２０のＨＨ′断面を示す断面図である。図１２及び図１３において、スピーカボックス１０は、メインキャビネット１１，メインキャビネットカバー１２，前面キャビネットカバー１３，音響通路１４、さらにツィータスピーカ１５，ウーハースピーカ１６，防振部材１７を有し、テレビジョン受像機２０の所定位置に防振部材１７を介して固定されている。
【００５２】
図１２及び図１３に示すように、メインキャビネット１１の側面内側には、音響通路１４が形成されている。この音響通路１４は、所定数の折り返し部と、この折り返し部から延長した直線部とを有している。ここで、音響通路１４の直線部の少なくとも最も長い直線部は、スピーカボックス１０の前面、すなわちメインキャビネット１１の前面と略平行に配設されているため、十分なレベルの低音域の再生に必要とされる管路長を確保しつつ、スピーカボックス１０の奥行きを小さくすることが可能となる。このため、テレビジョン受像機２０の奥行きも小さくすることができるため、本発明のスピーカ装置は、例えば液晶などの薄型表示部を備えたテレビジョン受像機にも搭載することができる。
【００５３】
尚、本実施形態のテレビジョン受像機２０は、スピーカボックス１０を縦置きに２ヶ所設けた構成としているが、スピーカボックス１０を横置きに設ける構成としてもよい。
【００５４】
【発明の効果】
本発明によると、スピーカボックス内に音響通路を有するバスレフ型スピーカ装置において、低音再生用スピーカ及び中・高音再生用スピーカの２つを内蔵して広い音域を再生可能とすると共に、十分なレベルの低音域の再生に必要とされる音響通路の管路長を確保しつつ、スピーカボックスを薄型化することができる。
また、奥行きを小さくした薄型のスピーカボックスを用いた場合においてビビリ音の発生を防止することができる。
【図面の簡単な説明】
【図１】本発明の一実施形態に係わるスピーカボックスの外観の一例を示す斜視図である。
【図２】スピーカボックスを構成するキャビネット部材の一例を示す分解図である。
【図３】スピーカボックスの密閉度を向上させるためのキャビネット部材構造の一例を示す分解図である。
【図４】スピーカボックスの密閉度を向上させるためのキャビネット部材構造の他の例を示す分解図である。
【図５】図１に示したスピーカボックスを構成するメインキャビネットの構造の一例を説明するための図である。
【図６】メインキャビネットの断面図である。
【図７】本発明のスピーカボックスに音響通路を取り付けた場合と取り付けない場合において周波数特性を比較した特性曲線の一例を示す図である。
【図８】図１に示したスピーカボックスを構成するメインキャビネットカバーの構造の一例を説明するための図である。
【図９】メインキャビネットカバーの断面図である。
【図１０】図１に示したスピーカボックスを構成する前面キャビネットカバーの構造の一例を説明するための図である。
【図１１】本発明のスピーカ装置を一体で設けたテレビジョン受像機の外観の一例を示す図である。
【図１２】本発明のスピーカボックスを一体で設けたテレビジョン受像機の内部構造を説明するための図である。
【図１３】図１２に示したテレビジョン受像機のＨＨ′断面を示す断面図である。
【符号の説明】
１，２…特性曲線、１０，１０′…スピーカボックス、１１…メインキャビネット、１１ａ…隔壁、１１ｂ…筒体挿入部、１１ｃ１〜１１ｃ５，１３ｇ１，１３ｇ２，１３ｈ１〜１３ｈ４…ボス、１１ｄ…開口部、１１ｅ１〜１１ｅ６，１２ｂ１〜１２ｂ５，１３ｆ１〜１３ｆ６…取付穴、１２…メインキャビネットカバー、１２ａ…溝部、１３…前面キャビネットカバー、１３ａ，１３ｂ，１３ａ′，１３ｂ′…スピーカ開口部、１３ｃ，１３ｃ′…音響通路開口部、１３ｄ…筒体、１３ｅ１，１３ｅ２…取付部、１４…音響通路、１５…ツィータスピーカ、１６…ウーハースピーカ、１７…防振部材、２０…テレビジョン受像機、２１，２１′…ポート部、２２，２２′…ツィータ部、２３，２３′…ウーハー部、２４…表示部。
【図１】
2005033513.tif 000004
【図２】
2005033513.tif 000005
【図３】
2005033513.tif 000006
【図４】
2005033513.tif 000007
【図５】
2005033513.tif 000008
【図６】
2005033513.tif 000009
【図７】
2005033513.tif 000010
【図８】
2005033513.tif 000011
【図９】
2005033513.tif 000012
【図１０】
2005033513.tif 000013
【図１１】
2005033513.tif 000014
【図１２】
2005033513.tif 000015
【図１３】
2005033513.tif 000016